(57)【要約】【課題】木質板の木口面に止水剤や接着剤等の樹脂材料を塗布する際に、樹脂材料の塗布量を調整するブレードと塗布ロールとの間に設けられた間隔に、木片等の塵芥が噛み込まれることを防止し、樹脂材料の塗布量を常に所定のものに安定して保つことができる樹脂材料の塗布装置を提供する。【解決手段】木質板２の木口面２ａに樹脂材料３を塗布する塗布ロール４と、塗布ロール４に樹脂材料３を供給する樹脂材料供給ロール５とを有するとともに、木口面２ａへの樹脂材料３の塗布量を調整する塗布量調整用ブレード６とを備えた木質板２の木口面２ａへの樹脂材料３の塗布装置１であって、塗布量調整用ブレード６は、塗布ロール４表面に対向する先端部６ａには断面厚み方向に鋭角状の傾斜面６ｂを有し、この傾斜面６ｂ側がロール５の回転方向の接線方向へ傾斜配置されている。【選択図】図１
2017124514.tif 000002
【特許請求の範囲】
【請求項１】
木質板の木口面に前記樹脂材料を塗布する塗布ロールと、前記塗布ロールに樹脂材料を供給する樹脂材料供給ロールとを有するとともに、前記木口面への樹脂材料の塗布量を調整する塗布量調整用ブレードとを備えた木質板の木口面への樹脂材料の塗布装置であって、
前記塗布量調整用ブレードは、前記塗布ロール表面に対向する先端部には断面厚み方向に鋭角状の傾斜面を有し、この傾斜面側がロールの回転方向の接線方向へ傾斜配置されていることを特徴とする樹脂材料の塗布装置。
【請求項２】
前記塗布量調整用ブレードの傾斜面は、幅方向の端部に刃状凹凸を有していることを特徴とする請求項１に記載の樹脂材料の塗布装置。
【発明の詳細な説明】
【技術分野】
【０００１】
本発明は、樹脂材料の塗布装置に関する。
【背景技術】
【０００２】
従来より、木質板の木口面に接着剤や止水剤等の樹脂材料を塗布し、木質板の表面に化粧シートを貼付するなどして、キッチンや洗面化粧台の扉等の水回り商品に好適に用いられる化粧板とすることが知られている。従来より、このような化粧板の製造については様々な工夫、改善が試みられている。例えば、本発明者らによっても、特許文献１に記載されたように、木質板の木口面からの接着剤のはみ出しが抑制された化粧板とするために、木口面への止水剤の塗布量を所定のものにすることができる塗布装置を提案している。
【０００３】
この装置では、止水剤の塗布ロールとともに、止水剤の塗布量を調整する塗布量調整用ブレードとを備え、相互の間隔を調整することにより、止水剤の塗布量を調整することができるようにされている。
【０００４】
しかしながら、特許文献１に記載された塗布装置では、木質板から剥離した木片や、木質板の切削工程において生じ、止水剤貯留容器等に落下、浮遊している切削加工粉等の塵芥が、塗布ロールとブレードとの間に噛み込まれることが懸念される。このため、複数の化粧板を連続的に製造している工程において、塗布時間の経過ととともに止水剤の塗布量の不均一性や減少を抑制するとの観点では、塗布装置の塗布量調整機構には改善の余地が残されていた。
【先行技術文献】
【特許文献】
【０００５】
【特許文献１】特開２０１５−１９９３２２号公報
【発明の概要】
【発明が解決しようとする課題】
【０００６】
本発明は、以上のとおりの事情に鑑みてなされたものであり、木質板の木口面に止水剤や接着剤等の樹脂材料を塗布する際に、樹脂材料の塗布量を調整するブレードと塗布ロールとの間に、木片等の塵芥が噛み込まれることを防止し、樹脂材料の塗布量を所定のものに安定して保つことができる塗布装置を提供することを課題としている。
【課題を解決するための手段】
【０００７】
上記の課題を解決するために、本発明の樹脂材料の塗布装置は、木質板の木口面に前記樹脂材料を塗布する塗布ロールと、前記塗布ロールに樹脂材料を供給する樹脂材料供給ロールとを有するとともに、前記木口面への樹脂材料の塗布量を調整する塗布量調整用ブレードとを備えた木質板の木口面への樹脂材料の塗布装置であって、
前記塗布量調整用ブレードは、前記塗布ロール表面に対向する先端部には断面厚み方向に鋭角状の傾斜面を有し、この傾斜面側がロールの回転方向の接線方向へ傾斜配置されていることを特徴とする。
【発明の効果】
【０００８】
本発明の樹脂材料の塗布装置によれば、木質板の木口面に止水剤や接着剤等の樹脂材料を塗布する際に、樹脂材料の塗布量を調整するブレードと塗布ロールとの間に、木片等の塵芥が噛み込まれることを防止し、樹脂材料の塗布量を所定のものに安定して保つことができる。
【図面の簡単な説明】
【０００９】
【図１】本発明の樹脂材料の塗布装置の概要正面図である。
【図２】塗布ロールと塗布量調整用ブレードの位置関係を例示した概要平面図である。
【図３】（Ａ）（Ｂ）（Ｃ）は、塗布量調整用ブレードの一実施形態における三面図である。（Ａ）は正面図、（Ｂ）は平面図、（Ｃ）は左側面図を示している。
【図４】塗布ロールと図３の塗布量調整用ブレードの接触状態を例示した概要側面図である。
【発明を実施するための形態】
【００１０】
本発明の樹脂材料の塗布装置について、以下に実施の形態について詳細に説明する。
【００１１】
本発明の樹脂材料の塗布装置１は、図１に示すように、木質板２の木口面２ａに樹脂材料３を塗布する塗布ロール４と、塗布ロール４に樹脂材料３を供給する樹脂材料供給ロール５とを有している。また、塗布装置１は、木口面２ａへの樹脂材料３の塗布量を調整する塗布量調整用ブレード６とを備えている。塗布量調整用ブレード６は、図２に示すように、塗布ロール４表面に対向する先端部６ａには断面厚み方向に鋭角状の傾斜面６ｂを有し、この傾斜面６ｂ側がロール４の回転方向の接線方向へ傾斜配置されている。
【００１２】
この塗布装置１では、例えば、樹脂材料貯留槽７からの樹脂材料３が、回転する樹脂材料供給ロール５を介して、回転する塗布ロール４に供給される。そして、回転する塗布ロール４の表面に付着した樹脂材料は、塗布量調整用ブレード６によって所定の厚みに調整される。所定の厚みの塗布ロール４の表面付着幅の樹脂材料３が、回転する塗布ロール４によって木質板２の木口面２ａに塗布される。
【００１３】
塗布ロール４は、回転軸４１を中心に回転可能に軸止されている。塗布装置１は、この回転軸４１の回転のための駆動機構や、回転速度などの制御のための制御機構を備えていることが考慮される。回転軸４１は略垂直に配置されている。塗布ロール４は、例えば、図１および図２に示したように、木質板２の木口面２ａに対向するロール表面４ａで、木口面２ａに樹脂材料３の塗布を行う。塗布ロール４の形状は、前記のとおりのロール表面４ａを有するものとしてその他の部分の形状については制限されることはない。その形状については、回転軸４１の安定性や木口面２ａへの塗布性能等を考慮することができる。
【００１４】
このような塗布ロール４の材質としては、合成樹脂製のもの、ゴム製のもの、金属製のもの等各種のものであってよいが、樹脂材料３の種類による表面保持性や木口面２ａへの転写特性等を考慮して、安価で加工しやすい素材を用いることが好ましい。
【００１５】
塗布ロール４のロール表面４ａの幅は、木質板２の板厚や木口面２ａの所要塗布幅に応じて適宜としてよく、例えば、１．０ｃｍ〜５．０ｃｍの範囲が例示される。木質板２の木口面２ａへの樹脂材料３の塗布に際しては、表面化粧材２ｂが配設されている場合、または配設されていない場合のいずれでも、木質板２への表裏面への樹脂材料３のはみ出しは抑止される。
【００１６】
塗布ロール４のロール表面４ａは、木質板２の表裏面への樹脂材料３のはみ出しを抑止するため、木質板２の木口面２ａの厚さ方向の一方の端部から、例えば、０．５ｍｍ〜１．０ｍｍ程度離れた部分に接触して塗布を行うことが好ましく考慮される。
【００１７】
また、塗布ロール４は、ロール表面４ａの木口面２ａに対向する位置を相対的に変更できるようにしてもよい。例えば、回転軸４１の上下移動機構や、木質板２の支持部の上下移動機構等が考慮される。
【００１８】
例えば、後者の場合としては、上下からベルトコンベアに挟み込まれた状態で搬送される木質板２に対して、あらかじめ木口面２ａに対向する位置に固定配置された塗布ロール４によって塗布処理が行われることが例示される。
【００１９】
樹脂材料供給ロール５を用いて樹脂材料３を塗布ロール４に供給する樹脂材料供給ロール５の形状は、塗布ロール４に樹脂材料３を安定して供給可能である限り、円柱状、円錐状、円錐台状等、特にその形状を問わない。本実施形態では、樹脂材料供給ロール５は、円板状を有しており、その表面から樹脂材料３を塗布ロール４供給する。
【００２０】
このような樹脂材料供給ロール５の材質としては、合成樹脂製のもの、ゴム製のもの、金属製のもの等であってよく、樹脂材料３との親和性等を考慮して各種であってよい。
【００２１】
樹脂材料供給ロール５は、回転軸５１を中心に回転可能に軸止されている。本実施形態では、回転軸５１は、略水平方向に配置され、塗布ロール４の回転軸４１と直交する位置にある。塗布装置１は、この回転軸５１の回転のための駆動装置や回転速度等の制御のための制御機構を備えていることが考慮される。
【００２２】
樹脂材料供給ロール５の下方には樹脂材料３を貯留した樹脂材料貯留槽７が設置され、樹脂材料供給ロール５が回転にともなって、その下方位置で樹脂材料３に浸漬するように配置されている。この浸漬によって樹脂材料３は、樹脂材料供給ロール５に付着して塗布ロール４に転写供給される。
【００２３】
樹脂材料３としては、例えば、接着剤や止水剤等が例示される。
【００２４】
接着剤としては、例えば、エチレン酢酸ビニル樹脂、反応型ウレタン樹脂、ポリオレフィン等のホットメルト型の樹脂や、ウレタン樹脂、エポキシ樹脂、酢酸ビニル樹脂、ビニルウレタン樹脂等の常温硬化型の樹脂等が例示される。これらの樹脂は単独または２種以上を併用することができる。
【００２５】
止水剤としては、例えば、ジフェニルメタンジイソシアネート（ＭＤＩ）や紫外線硬化型塗料等が例示される。また、前記接着剤として例示したホットメルト型の樹脂は、止水性も良好であることから止水剤としても好適に用いられる。これらの樹脂は単独または２種以上を併用することが出来る。
【００２６】
図１および図２の例においては、回転する塗布ロール４のロール表面４ａに付着した樹脂材料３は、塗布量調整用ブレード６によって調整された所定量の樹脂材料３のみが木質板２の木口面２ａに塗布されるように調整される。塗布量調整用ブレード６によって取り除かれた樹脂材料３の余剰分は、下方に位置する樹脂材料貯留容器７に落下して再利用される。
【００２７】
塗布量調整用ブレード６は、図２に示したように、塗布ロール４のロール表面４ａに対向する先端部６ａに、断面厚み方向に鋭角状の傾斜面６ｂを有し、この傾斜面６ｂ側が塗布ロール４の回転方向の接線方向へ傾斜配置されている。塗布量調整用ブレード６の先端部６ａと塗布ロール４のロール表面４ａの間には間隔８が設けられており、この間隔８によって塗布量が調整される。
【００２８】
塗布量調整用ブレード６が塗布ロール４の回転方向の接線方向へ直交配置されている従来例と比較すると、塗布量調整用ブレード６が傾斜配置されていることにより、遠心力が働く方向へのガイドとして機能し、効率よく木片９を排除することができる。また、従来例では、木片９をせき止め、木片９が、木質板２の木口面２ａに転写付着されるのを防ぐ役割を果たしているものの、木片９が、ブレード端部に滞留する。このため、塗布すべき樹脂材料３の塗布量の調整を不均一とし、所定量の塗布を難しくしかねなかった。これに対し、傾斜配置された塗布量調整用ブレード６によれば木片９がせき止められにくく、かつ滞留しにくくなる。そして木片９は下方に弾かれて落下しやすくなる。木片９が滞留しなくなることから、樹脂材料３の塗布量を所定量に安定して保つことが可能となり、樹脂材料３の塗布量の安定化が図られる。複数の木質板２の木口面２ａに対して連続的に塗布する場合には、塗布量の一定化が図られる。
【００２９】
塗布量調整用ブレード６の傾斜面６ｂや前記接線方向への傾斜面の角度については、以上のような、樹脂材料３の種類やその安定した所定の一定量の塗布量、木片９の除去性を、木質板２の材質やその木口面２ａの性状とともに考慮して決めることができる。塗布ロール４のロール表面４ａとの間の間隔８についても同様である。このために、塗付量調整用ブレード６の前記傾斜角度の調整そして前記の間隔の調整のための調整機構を塗布装置１が、有していることも考慮される。
【００３０】
また、塗布量調整用ブレード６は、先端部６ａに刃状凹凸６ｃを有していることも好ましく考慮される。例えば、図３（Ａ）（Ｂ）（Ｃ）に示すように、刃状凹凸６ｃを先端部６ａの幅方向で傾斜面６ｂに刃状凹凸６ｃを複数条有していることがより好ましく、例えば、刃状凹凸６ｃを３〜４条程度有していることがさらに好ましい。
【００３１】
図４に示すように、この刃状凹凸６ｃは、塗布量調整用ブレード６の先端部６ａを塗布ロール４のロール表面４ａに当接状態にしても凹部６ｄの開きで樹脂材料３の所定量の調整が可能とされる。このことから、塗布量調整がより簡便に可能となる。回転する塗布ロール４のロール表面４ａに付着した樹脂材料３は、塗布量調整用ブレード６の刃状凹凸６ｃによって余剰分が取り除かれ、所定量に調整された樹脂材料３が木質板２の木口面２ａに塗布される。
【００３２】
このような塗布量調整用ブレード６においては、刃状凹凸６ｃの凹部６ｄの深さや開口幅を変更することによって、樹脂材料３の塗布量、さらには木片９のひっかき除去性を調整できる。凹部６ｄの深さとしては、例えば、０．１ｍｍ以上０．５ｍｍ以下の範囲が考慮される。
【００３３】
また、刃状凹凸６ｃおよび凹部６ｄの形状については、鋸刃状や台形状等が考慮される。
【００３４】
塗布量調整用ブレード６の材質は、塗布ロール４と接触してもロール表面４ａを損傷しない限り特に制限されないが、例えば、樹脂板や金属板等の使用が考慮される。耐溶媒性や耐腐食性等を考慮して、例えば、ステンレス板や真鍮板等の金属板に使用が好ましい。特に、真鍮板は、ステンレス板に比べて軟らかいため、塗付量調整用ブレード６として用いた場合、塗布ロール４のロール表面４ａを削ることがなく、しかも真鍮板が摩耗するため樹脂材料３の塗布量や塗付精度に影響を及ぼしにくい。
【００３５】
なお、摩耗した塗付量調整用ブレード６としての真鍮板は、適宜交換してもよいし、塗付量調整用ブレード６の配置位置を調整することによって、塗布ロール４の表面４ａに対向して、間隔８が設けられた状態や、ロール表面４ａに先端部６ａが当接状態にあるようにすることも好ましく考慮される。
【００３６】
以上のような樹脂材料の塗布装置１を用いることにより、木質板２の表裏面への樹脂材料３のはみ出しが抑制され、木口面２ａに接着剤や止水剤等の樹脂材料３の所定量が塗布されている化粧板が簡便に得られる。得られた化粧板は、例えば、システムキッチン、洗面台等の扉等に使用することができる。
【００３７】
以上、実施形態に基づき、本発明を説明したが、本発明は上記の実施形態に何ら限定されるものではなく、その要旨を逸脱しない範囲内において各種の変更が可能である。
【符号の説明】
【００３８】
１  樹脂材料の塗布装置
２  木質板
２ａ  木口面
２ｂ  表面化粧材
３  樹脂材料
４  塗布ロール
４ａ  ロール表面
４１  回転軸
５  樹脂材料供給ロール
５１  回転軸
６  塗布量調整用ブレード
６ａ  先端部
６ｂ  傾斜面
６ｃ  刃状凹凸
６ｄ  凹部
７  樹脂材料貯留容器
８  間隔
９  木片
【図１】
2017124514.tif 000003
【図２】
2017124514.tif 000004
【図３】
2017124514.tif 000005
【図４】
2017124514.tif 000006